(57)【要約】【課題】押縁構造の形状によらず共通して使用することのできる脱落防止用金具を有した樹脂サッシを提供する。【解決手段】枠体１内に合成樹脂からなる上下框及び左右の縦框を方形状に框組みしてなる框体２を納め、框体２の内部にガラス体３を納めてなる樹脂サッシにおいて、框体２はガラス体３の周面と対向する内周面にガラス体３の脱落を防止するガラス止め部材８０を備え、ガラス止め部材８０は框体２の内周面に固定される基部材８１と、基部材８１に対し長手方向に取付自在な掛部材８２とからなると共に、掛部材８２はガラス体３の室内外面のうち少なくとも一方の面の周縁部と対向配置される脱落防止部８２ｂを有してなる。【選択図】図１
2007031992.tif 000002
【特許請求の範囲】
【請求項１】
枠体内に合成樹脂からなる上下框及び左右の縦框を方形状に框組みしてなる框体を納め、該框体の内部にガラス体を納めてなる樹脂サッシにおいて、
上記框体は上記ガラス体の周面と対向する内周面にガラス体の脱落を防止するガラス止め部材を備え、該ガラス止め部材は上記框体の内周面に固定される基部材と、該基部材に対し長手方向から取付自在な掛部材とからなると共に、該掛部材は上記ガラス体の室内外面のうち少なくとも一方の面の周縁部と対向配置される脱落防止部を有してなることを特徴とする樹脂サッシ。
【請求項２】
上記掛部材の脱落防止部は上記ガラス体の室内側面の周縁部と対向配置され、上記基部材は上記ガラス体の室外側面の周縁部と対向配置される室外側脱落防止部を有してなることを特徴とする樹脂サッシ。
【請求項３】
上記基部材は上記框体の内周面に当接固定される固定部を有すると共に、該固定部の上部に係止部を有し、上記掛部材は上記固定部の係止部に対し長手方向から嵌合する嵌合部を有してなることを特徴とする請求項１または２記載の樹脂サッシ。
【請求項４】
上記框体は内周面の室内外端部にそれぞれ上記ガラス体の室内外面を挟持固定する挟持部を有し、室内側の挟持部を着脱可能な押縁部材により構成することを特徴とする請求項１〜３のいずれか１項に記載の樹脂サッシ。
【発明の詳細な説明】
【技術分野】
【０００１】
本発明は合成樹脂からなる框体にガラス体を納めた樹脂サッシに関し、特に火災時において框体からのガラス体の脱落を防止する樹脂サッシに関する。
【背景技術】
【０００２】
従来から、枠体内に合成樹脂からなる框体を納め、框体の内部にガラス体を納めてなる樹脂サッシが知られている。框体内にガラス体を納めたものは、框体を枠体内で走行自在とした障子としたり、開き窓としたりすることで、開閉自在な窓サッシとすることができる。
【０００３】
このような樹脂サッシとしては、例えば特許文献１に挙げるようなものがある。特許文献１の樹脂サッシは、合成樹脂からなる枠体内に、同じく合成樹脂からなる２つの框体を引き違い状に設けた引き違いサッシであり、各框体の内部にそれぞれガラス体が納められている。
【特許文献１】特開２００２−２１４３１号公報
【０００４】
ここで、ガラス体の固定構造は、特許文献１の場合には框体に押縁構造を設けて構成している。押縁構造では、ガラス体の室外面を框体に取付けた押縁部材にて押圧し、ガラス体の室内面は框体に形成した挟持部に対向させ、この挟持部に設けた水密材と押縁部材によりガラス体を挟持するようにしている。
【発明の開示】
【発明が解決しようとする課題】
【０００５】
しかし、従来の樹脂サッシでは、ガラス体の一面を押縁部材にて押圧する構造であるために、火災が発生した際に押縁部材が脱落し、ガラス体が脱落することがある。このため、ガラス体の周縁部に脱落防止のための金具を設けることが従来から行われている。一方で、挟持部及び押縁部材からなる押縁構造の形状には様々なものがあって、従来の脱落防止のための金具は押縁構造の形状に応じて作り替える必要があった。
【０００６】
本発明は、上記課題を解決すべくなされたものであり、押縁構造の形状によらず共通して使用することのできる脱落防止用金具を有した樹脂サッシを提供することを目的とする。
【課題を解決するための手段】
【０００７】
上記課題を解決するため、本発明に係る樹脂サッシは、枠体内に合成樹脂からなる上下框及び左右の縦框を方形状に框組みしてなる框体を納め、該框体の内部にガラス体を納めてなる樹脂サッシにおいて、
上記框体は上記ガラス体の周面と対向する内周面にガラス体の脱落を防止するガラス止め部材を備え、該ガラス止め部材は上記框体の内周面に固定される基部材と、該基部材に対し長手方向から取付自在な掛部材とからなると共に、該掛部材は上記ガラス体の室内外面のうち少なくとも一方の面の周縁部と対向配置される脱落防止部を有してなることを特徴として構成されている。
【０００８】
また、本発明に係る樹脂サッシは、上記掛部材の脱落防止部は上記ガラス体の室内側面の周縁部と対向配置され、上記基部材は上記ガラス体の室外側面の周縁部と対向配置される室外側脱落防止部を有してなることを特徴として構成されている。
【０００９】
さらに、本発明に係る樹脂サッシは、上記基部材は上記框体の内周面に当接固定される固定部を有すると共に、該固定部の上部に係止部を有し、上記掛部材は上記固定部の係止部に対し長手方向から嵌合する嵌合部を有してなることを特徴として構成されている。
【００１０】
さらにまた、本発明に係る樹脂サッシは、上記框体は内周面の室内外端部にそれぞれ上記ガラス体の室内外面を挟持固定する挟持部を有し、室内側の挟持部を着脱可能な押縁部材により構成することを特徴として構成されている。
【発明の効果】
【００１１】
本発明に係る樹脂サッシによれば、框体はガラス体の周面と対向する内周面にガラス止め部材を備え、ガラス止め部材は框体の内周面に固定される基部材と、基部材に対し長手方向から取付自在な掛部材とからなると共に、掛部材はガラス体の室内外面のうち少なくとも一方の面の周縁部と対向配置される脱落防止部を有してなることにより、ガラス体の脱落を防止するガラス止め部材を框体の内周面に対して長手方向から取付けることができるので、押縁構造の形状によらずガラス止め部材を容易に框体に対して取付けることができる。
【００１２】
また、本発明に係る樹脂サッシによれば、掛部材の脱落防止部はガラス体の室内側面の周縁部と対向配置され、基部材はガラス体の室外側面の周縁部と対向配置される室外側脱落防止部を有してなることにより、ガラス体の両面につき脱落防止を図ることができる。
【００１３】
さらに、本発明に係る樹脂サッシによれば、基部材は固定部の上部に係止部を有し、掛部材は固定部の係止部に対し長手方向から嵌合する嵌合部を有してなることにより、掛部材を基部材に対して嵌合により容易に固定することができる。
【００１４】
さらにまた、本発明に係る樹脂サッシによれば、框体は内周面の室内外端部にそれぞれガラス体の室内外面を挟持固定する挟持部を有し、室内側の挟持部を着脱可能な押縁部材により構成することにより、ガラス体を框体に対して容易に取付けることができると共に、押縁部材が室外側に露出しないので、防犯性を高めることができる。
【発明を実施するための最良の形態】
【００１５】
本発明の実施形態について図面に沿って詳細に説明する。図１は本実施形態における樹脂サッシの縦断面図、図２は樹脂サッシの横断面図である。これら各図において、本実施形態における樹脂サッシは、合成樹脂製の上枠１０、下枠２０、及び縦枠３０、３０を方形状に枠組みして枠体１を構成し、その内部に内障子４と外障子５を引き違い状に納めてなるものである。内障子４と外障子５は、いずれも上框５０、下框６０、及び縦框７０、７０を方形状に框組みして框体２を構成し、その内部にガラス体３を納めてなるものであり、下端部には戸車６が設けられて枠体１内を走行自在とされている。
【００１６】
枠体１を構成する上枠１０、下枠２０、及び縦枠３０は、いずれも合成樹脂により中空状に形成されている。これらは略同じ断面形状を有すると共に、各端部はそれぞれ傾斜状に形成されており、端部同士を突き合わせて溶着させることで、枠体１を方形状に枠組みする。また、框体２を構成する上框５０、下框６０、及び縦框７０についても、合成樹脂により中空状に形成されており、これらは略同じ断面形状を有すると共に、各端部はそれぞれ傾斜状に形成されており、端部同士を突き合わせて溶着させることで、框体２を方形状に框組みする。
【００１７】
ガラス体３は框体２を構成する各框に対して押縁構造により固定されている。図１に示すように、上框５０と下框６０には、内周面の室外側端部に突出状の挟持部５１、６１を、内周面の室内側端部に取付部５２、６２をそれぞれ形成している。挟持部５１、６１の室内面はガラス体３周縁部の室外面と対向する。
【００１８】
取付部５２、６２には押縁部材５３、６３をガラス体３の横方向略全長に渡ってそれぞれ取付ける。押縁部材５３、６３にはそれぞれ室外面に押圧部５３ａ、６３ａが形成されており、ガラス体３周縁部の室内面に当接する。このように挟持部５１、６１と押縁部材５３、６３の押圧部５３ａ、６３ａによりガラス体３の周縁部を室内外から挟持固定する。
【００１９】
また、図２に示すように、縦框７０にも同様に、内周面の室外側端部に突出状の挟持部７１が、内周面の室内側端部に取付部７２が形成され、取付部７２には押縁部材７３が取付けられる。そして、挟持部７１がガラス体３の室外面を、押縁部材７３がガラス体３の室内面を、それぞれ挟持し固定する。このように、ガラス体３はその周縁部を四周に渡って框体２の挟持部５１、６１、７１と押縁部材５３、６３、７３に挟持固定される。
【００２０】
このように、押縁部材５３、６３、７３は、ガラス体３の室内面を押圧するように設けられるので、室外側に露出しないように構成することができる。これにより、室外側から押縁部材５３、６３、７３を取り外すことにより、ガラス体３を取り外すことができないので、防犯性の高い樹脂サッシとすることができる。
【００２１】
次に、ガラス体３の脱落防止構造について説明する。図３には下框６０付近の縦断面拡大図を示している。下框６０には、内周面６４と挟持部６１及び押縁部材６３によってガラス体３を納める溝状の部分が形成されており、内周面６４にはガラス体３の室外面及び室内面とそれぞれ対向する部分を有したガラス止め部材８０が設けられている。
【００２２】
ガラス止め部材８０は、下框６０の内周面６４に対して固定される基部材８１と、基部材８１に対して固定される掛部材８２との二部材から構成され、基部材８１にはガラス体３の室外面と対向する脱落防止部８１ｃが、掛部材８２にはガラス体３の室内面と対向する脱落防止部８２ｂが、それぞれ形成されている。ガラス体３の両面にそれぞれ対向する脱落防止部８１ｃ、８２ｂは、火災発生時に押縁部材６３や挟持部６１が脱落や溶解した場合に、ガラス体３の脱落を防止するものである。
【００２３】
図４にはガラス止め部材８０の分解斜視図を示している。ガラス止め部材８０を構成する基部材８１と掛部材８２は、いずれも金属製の板状の部品であって、下框６０の内周面６４の長手方向いずれかの位置に設けられるものである。本実施形態では、下框６０の内周面６４の長手方向略中央位置にガラス止め部材８０を設けるものとする。
【００２４】
基部材８１は、底面が下框６０の内周面６４に当接固定される固定部８１ａとして形成されており、ネジ止めのためのネジ孔８１ｄが設けられている。また、室外端部は略直角に折り曲げられており、これがガラス体３の室外面と対向する脱落防止部８１ｃとなっている。さらに、基部材８１の長手方向略中央部には、室外端部と室内端部にそれぞれ断面略Ｌ字状の係止部８１ｂが上方に突出するように形成されている。
【００２５】
掛部材８２は、基部材８１に対して長手方向から取付けられるものであって、底面には基部材８１の係止部８１ｂに対して長手方向から嵌合する嵌合部８２ａが形成されている。嵌合部８２ａは、掛部材８２の底面から斜め上方に突出すると共に屈曲するように形成され、上下方向に弾性を有している。
【００２６】
嵌合部８２ａを基部材８１の係止部８１ｂに固定する際には、嵌合部８２ａは長手方向にスライドされて係止部８１ｂのＬ字状に屈曲した上部によって下方に押し下げられ、さらにスライドさせることで嵌合部８２ａが元の状態に戻ると共に、先端部が係止部８１ｂの側面に当接して嵌合固定された状態となる。
【００２７】
また、掛部材８２の室内端部はＬ字状に折り曲げられ室内面が略垂直となるように形成されており、これがガラス体３の室内面と対向する脱落防止部８２ｂとなっている。また、脱落防止部８２ｂは、嵌合部８２ａが係止部８１ｂに嵌合した状態において、端部が係止部８１ｂの側面に当接する位置となるように形成されている。嵌合部８２ａを係止部８１ｂに嵌合させると、脱落防止部８２ｂの端部が係止部８１ｂの側面に当接することで、掛部材８２が基部材８１に対して強固に固定されるようにしている。
【００２８】
図５には、下框６０とガラス止め部材８０、ガラス体３及び押縁部材６３の分解図を示している。この図に示すように、ガラス止め部材８０の基部材８１が下框６０の内周面６４に対して取付けられると共に、基部材８１に対して掛部材８２が長手方向から取付けられる。そこにガラス体３が取付けられ、さらにガラス体３の室内面を押圧するように押縁部材６３が下框６０の取付部６２に対して取付けられる。
【００２９】
下框６０の内周面６４には、ガラス体３を支持するためのセッティングブロック（図示しない）が設けられる。上述のようにガラス止め部材８０は内周面６４の長手方向略中央部に設けられるので、ガラス止め部材８０と干渉しない領域に数カ所設けられる。
【００３０】
このようにガラス止め部材８０は、掛部材８２が基部材８１の長手方向から取付自在とされたことにより、押縁構造の形状によらず取付けを容易に行うことができる。本実施形態の場合には、下框６０の取付部６２が内周面６４よりも突出しているために、掛部材８２を室内側方向から取付けることは困難であるのに対し、長手方向から取付けることは容易に行うことができる。
【００３１】
ここまで下框６０に対するガラス止め部材８０の取付けについて説明したが、下框６０と同じ断面形状を有する上框５０と縦框７０についても、同様にガラス止め部材８０が取付けられてガラス体３の脱落を防止する。
【００３２】
これまで本発明の実施形態について説明したが、本発明の適用はこの実施形態には限られず、その技術的思想の範囲内において様々に適用されうるものである。本実施形態では、引き違いサッシに本発明を適用したものを示したが、開き窓などでも同様に本発明を適用することができる。
【図面の簡単な説明】
【００３３】
【図１】本実施形態における樹脂サッシの縦断面図である。
【図２】本実施形態における樹脂サッシの横断面図である。
【図３】下框付近の縦断面拡大図である。
【図４】ガラス止め部材の分解斜視図である。
【図５】下框に対するガラス止め部材とガラス体及び押縁部材の取付けを示した分解図である。
【符号の説明】
【００３４】
１    枠体
２    框体
３    ガラス体
４    内障子
５    外障子
１０    上枠
２０    下枠
３０    縦枠
５０    上框
５１    挟持部
５２    取付部
５３    押縁部材
６０    下框
６１    挟持部
６２    取付部
６３    押縁部材
６４    内周面
７０    縦框
７１    挟持部
７２    取付部
７３    押縁部材
８０    ガラス止め部材
８１    基部材
８１ａ  固定部
８１ｂ  係止部
８１ｃ  脱落防止部
８２    掛部材
８２ａ  嵌合部
８２ｂ  脱落防止部
【図１】
2007031992.tif 000003
【図２】
2007031992.tif 000004
【図３】
2007031992.tif 000005
【図４】
2007031992.tif 000006
【図５】
2007031992.tif 000007